(57)【特許請求の範囲】
【請求項１】
収納部の前面に開口を有し、該開口の一部を塞ぐ少なくとも２枚の引戸を備えた構成とされ、該２枚の引戸がレールに沿って相互に近接、離反自在となるように横方向に移動できるようにした収納棚であって、
前記２枚の引戸は、同一のレール上で移動する構成となっており、
前記２枚の引戸の相隣接する側端部の一方に、引戸の移動方向に沿って引戸の側端部に対して進退自在とした凸部を設け、他方に該凸部の先端が当接される被当接部を設けた構成とされ、
前記２枚の引戸の相対移動により前記側端部同士が近接して、前記凸部が前記被当接部に当接した後に、前記２枚の引戸の相対速度が減速するようになっており、
前記凸部は一方の引戸の下端の裏面側の蹴込み空間に配設され、前記被当接部は他方の引戸の下端の裏面側の蹴込み空間に配設されていることを特徴とする収納棚。
【発明の詳細な説明】
【技術分野】
【０００１】
本発明は、レールに沿って移動する２枚の引戸を備えた収納棚に関する。
【背景技術】
【０００２】
対面式のシステムキッチンにおいては、キッチンカウンタのリビング側に収納棚を設けたものがある。近時、そのようなキッチンカウンタにおいては、食器等を陳列展示するために、２枚の引戸で開口の全てを塞がないようにできるものが試行されている。つまり、このような収納棚では、収納棚の前面の開口において、たとえば２枚の引戸を側板側に離反させて、それらの間に部分開口を形成すれば、その部分開口に対応した収納部空間に食器等をオープンな状態で陳列展示することができる
【０００３】
このような収納棚は、通常、２枚の引戸間に部分開口を形成した状態で使用されるため、そのような状態から、いずれか一方あるいは両方の引戸を移動させて相近接または接触させると、２枚の引戸間の部分開口に差し入れていた指を挟んでしまうおそれがある。
【０００４】
したがって、このような収納棚において、２枚の引戸間に指が挟まれないようにした適切な指詰め防止策を講じる必要がある。
【発明の概要】
【発明が解決しようとする課題】
【０００５】
本発明は、このような事情を考慮して提案されたもので、その目的は、２枚の引戸間における指詰めを防止することができる収納棚を提供することにある。
【課題を解決するための手段】
【０００６】
上記目的を達成するために、本発明に係る収納棚は、収納部の前面に開口を有し、開口の一部を塞ぐ少なくとも２枚の引戸を備えた構成とされ、２枚の引戸がレールに沿って相互に近接、離反自在となるように横方向に移動できるようにした収納棚であって、２枚の引戸は、同一のレール上で移動する構成となっており、２枚の引戸の相隣接する側端部の一方に、引戸の移動方向に沿って引戸の側端部に対して進退自在とした凸部を設け、他方に凸部の先端が当接される被当接部を設けた構成とされ、２枚の引戸の相対移動により側端部同士が近接して、凸部が被当接部に当接した後に、２枚の引戸の相対速度が減速するようになっており、凸部は一方の引戸の下端の裏面側の蹴込み空間に配設され、被当接部は他方の引戸の下端の裏面側の蹴込み空間に配設されていることを特徴とする。
【発明の効果】
【００１０】
本発明に係る収納棚によれば、上述の構成としたことで、２枚の引戸間における指詰めを防止することができる。
【図面の簡単な説明】
【００１１】
【図１】（ａ）は本発明の一実施形態に係る収納棚を有したキッチンカウンタの全体斜視図、（ｂ）は要部拡大斜視図である。
【図２】（ａ）〜（ｄ）は、同収納棚に用いられる２枚の引戸の近接動作を概略的に示した説明図（正面図）である。
【図３】（ａ）は同収納棚の平面図、（ｂ）は同正面図（引戸を取り外した状態）である。
【図４】（ａ）は同拡大縦断面図、（ｂ）は（ａ）のＡ部をさらに拡大した拡大縦断面図である。
【発明を実施するための形態】
【００１２】
以下に、本発明に係る収納棚の一実施形態について、添付図面を参照しながら説明する。
【００１３】
本実施形態では、収納棚として、対面式のキッチンカウンタ１のリビング側に設けた収納棚３を例示している。収納棚３としては、これには限られず、他の種々の収納棚が挙げられることはいうまでもない。
【００１４】
このキッチンカウンタ１は、キッチン側にシンク２ａおよび加熱調理器２ｂを備えた調理部２を有し、リビング側に調理部２と一体化された収納棚３（収納部１０）をさらに有した構造となっている。
【００１５】
収納部１０には、背板１０ｂと、両側板１０ａ、１０ａと、底部１０ｃと、天板１０ｆとで囲まれた収納空間が形成されている。この収納空間が仕切板１０ｄ、１０ｄで仕切られて、左右に並ぶ３つの小収納部１２、１２、１２が形成されている。それぞれの小収納部１２、１２、１２の空間には、複数の棚板１０ｅで仕切られた複数の収納小棚が形成されている。
【００１６】
３つの小収納部１２、１２、１２は、正面視でほぼ同じ大きさである。収納部１０は、小収納部１２の正面視の寸法にほぼ合致した２枚の引戸２０、２０をレールに沿って移動可能に備えている。すなわち、２枚の引戸２０、２０をたとえば開口１１の両端に移動させた状態（図３（ｂ）では両引戸２０、２０を２点鎖線で示している）では、収納部１０の開口１１は約２／３が塞がれ、引戸２０、２０間に部分開口が形成された状態となる。
【００１７】
本実施形態の収納棚３では、２枚の引戸２０、２０は、引き違いではなく（引戸１０、１０同士が重なることはなく）、同一のレール（上レール１４と下レール１５）上を相互に近接、離反自在となるように横方向に移動できるようになっている。したがって、２枚の引戸２０、２０の相隣接する側端部２１、２１同士を突き合わせ状態に近づけた場合、中央の小収納部１２の前面に位置する部分開口内のいずれかの位置で近接あるいは接触することとなる。なお、図３（ｂ）では上、下レール１４、１５を概略的に示したが、下レール１５については、図４（ｂ）に拡大部分縦断面図を示している。
【００１８】
上レール１４は、引戸２０を吊支持するローラ（不図示）が収納部１０の天板１０ｆの前部に組みつけてあり、そのローラはダンパー（不図示）と一体化されて、ソフトクローザー機構を構成している。これによって、引戸２０を側板１０ａ側に移動させたときには、側板１０ａ近傍で減速し、引戸２０が戸枠に強い勢いでぶつかったり、反発したりすることを防止している。
【００１９】
一方、下レール１５は、図４（ａ）（ｂ）に示すように、収納部１０の底部１０ｃの下方の蹴込み空間１３に配設されている。具体的には下レール１５は、断面略Ｌ字形状の固定部１６と、レール部１７とよりなる。固定部１６は、図４（ｂ）に示すように、収納部１０の底部１０ｃの裏面と、蹴込み壁１３ａの壁面とにまたがるように固定されている。固定部１６のうちの、収納部１０の底部１０ｃに固定した固定片１６ａの先端には、下方に突設した２枚の板片１７ａ、１７ａよりなるレール部１７が形成されている。
【００２０】
これに対して引戸２０には、その下端の裏面側にレール部１７に沿って摺動する摺動部材２２が固定されている。その摺動部材２２の摺動部２４ａが下レール１７の２枚の板片１７ａ、１７ａ間を摺動することで、引戸２０が下端においてがたつきなく横方向へ移動することを可能としている。このような上レール１４と、下レール１５とにより、引戸２０、２０がスムーズに移動できるようになっている。
【００２１】
引戸２０には、引戸２０、２０の相隣接する側端部２１、２１のうちの一方に、引戸２０の移動方向に沿って引戸２０の側端部２１に対して進退自在とした凸部Ｔが設けられている。また、他方の引戸２０の側端部２１には、凸部Ｔが当接することのできる被当接部Ｈが設けられている。図例では、右の引戸２０に凸部Ｔが設けられ、左の引戸２０に被当接部Ｈが設けられたものを例示している。
【００２２】
凸部Ｔは、凸部Ｔを進退自在とするための進退機構３０に備えられたロッド体３１よりなる。このロッド体３１は筒体３２に対してピストン運動様に進退できるように設けられている。筒体３２の内部にはロッド体３１が進退自在となるように、ロッド体３１の端部と筒体３２の内底部との間にコイルばね３３が連結されている。なお、進退機構３０は、コイルばね３３の弾性動作にともなう衝撃を吸収するためにオイルダンパー機構を含んだ構造とすることが望ましい。
【００２３】
また、被当接部Ｈは、凸部Ｔの先端が当接する面を有した起立板片４１よりなる。本実施形態では、この起立板片４１と、取付板片４２とが一体化されてＬ字体４０が形成されており、取付板片４２を引戸２０の裏面側に取り付けることで、被当接部Ｈが引戸２０に対して固定される構造となっている。
【００２４】
このような凸部Ｔと被当接部Ｈとは、両引戸２０、２０の下端の側端部２１、２１で相対するように、それぞれの引戸２０、２０に取り付けた摺動部材２２、２２に固定されている。この摺動部材２２、２２は、引戸２０、２０が下レール１５を移動するために引戸２０、２０に取り付けられた部材である。
【００２５】
ついで、凸部Ｔを含む進退機構３０と、被当接部Ｈを含むＬ字体４０の設置構造を、摺動部材２２の形状、構造とともに説明する。
【００２６】
摺動部材２２は、図４（ａ）（ｂ）に示すように、断面略Ｌ字形状の固定部２３と、下レール１５のレール部１７を構成する２枚の板片１７ａ、１７ａ間に挿入されるように起立し、先端に摺動部２４ａを有した移動部２４とを備えている。その摺動部材２２の固定部２３の後端部（移動部２４の基部）にはさらに、蹴込み壁１３ａに向かう方向に延びる断面略Ｌ字形状の延設片２５が形成されている。この延設片２５は、蹴込み壁１３ａに向かって延びる水平片２５ａを有している。
【００２７】
進退機構３０とＬ字体４０のそれぞれは、図１（ｂ）に示すように、それぞれに対応した引戸２０、２０に連結された摺動部材２２、２２の延設片２５、２５の水平片２５ａ、２５ａの上に固定されている。具体的には、筒体３２が水平片２５ａに横設固定されることで進退機構３０が固定され、取付板片４２が水平片２５ａに接着されることでＬ字体４０が固定される。
【００２８】
被当接部Ｈを構成する起立板片４１は、図２（ａ）〜（ｄ）の各図に示すように、その板面が正面視で引戸２０の側端面とほぼ同一位置に配されている。凸部Ｔは、動作しない状態では、図２（ａ）に示すように、所定の長さ分が引戸２０の側端面よりも相対する引戸２０側に突出して配されている。
【００２９】
つぎに、このような両引戸２０、２０を相互に近づけるように所定の速度でレール上を走らせたときの動作について、図２（ａ）〜（ｄ）を参照しながら説明する。なお、図２には凸部Ｔを有した引戸２０を移動させる例を示したが、被当接部Ｈを有した引戸２０を移動させる場合や、両引戸２０、２０をともに移動させる場合でも、進退機構３０は以下に説明する動作と同様の動作をなすため、それらの動作については図示を省略する。
【００３０】
まず、凸部Ｔを有した引戸２０を所定の速度（図２において白抜き矢印の大きさが速度を表わしている）で図中の左側へ移動させる。このとき、筒体３２に内装されたコイルばね３３は復帰状態にあり、一定速度で移動中もコイルばね３３はほとんど変動せず、よって凸部Ｔ（ロッド体３１）の筒体３２からの突出寸法も変動しないまま相手側の引戸２０に向かって移動する。
【００３１】
そして、所定時間後、凸部Ｔの先端が相手側の引戸２０の被当接部Ｈに当接し、それと同時に凸部Ｔが被当接部Ｈに押圧され、コイルばね３３が収縮を開始する。コイルばね３３は緩衝体として作用するため、凸部Ｔを有した引戸２０の側端部２１が、被当接部Ｈを有した引戸２０の側端部２１に対して近接する速度は小さくなる。ロッド体３１は徐々に筒体３２内に没していき、引戸２０、２０の側端部２１、２１間が最近接あるいは接触して、凸部Ｔを有した引戸２０が停止したときに、凸部Ｔの側端部２１からの突出度合いが最小となる。
【００３２】
このように、収納部１０の両引戸２０、２０の一方に進退自在な凸部Ｔが、他方に被当接部Ｈが設けてあるので、上述したように、両引戸２０、２０同士が近づいて凸部Ｔが被当接部Ｈに当接すると、引戸２０の他の引戸２０への近接速度は小さくなる。そのため、被当接部Ｈを有した引戸２０の側端部２１に手指を添えていた場合でも、指詰めが発生するおそれはない。かりに、引戸２０、２０間に指を挟んでしまっても、近接速度が十分に落ちているので怪我をするような事故にはならない。
【００３３】
さらに、本実施形態では、凸部Ｔと被当接部Ｈとよりなる近接速度を減速させるための機構が、引戸２０、２０の下端の裏面側の蹴込み空間１３に取り付けてあるので、それらが外部から見えることはなく、美観を損なうおそれはほとんどない。
【００３４】
なお、両引戸２０、２０が最近接して停止した状態（図２（ｄ）参照）では、当然にコイルばね３３の弾性復帰力が発生する。しかし、両引戸２０、２０を引き離さない程度の弾性係数を有したコイルばね３３を用いることで、両引戸２０、２０間を引き離すほどの力は発生しない。よって、外力を加えないかぎりは、引戸２０、２０が最近接した状態を維持することができる。
【００３５】
両引戸２０、２０が最近接した状態から、両引戸２０、２０を引き離すように引戸２０を移動させると、引戸２０、２０が離反すると同時にコイルばね３３が徐々に復帰し、凸部Ｔは元の突出状態に復帰する。
【００３６】
凸部Ｔの進退自在な構成としては、コイルばね３３の代わりに他の弾性体を用いたものでもよい。また、ピストン構造ではなく、つまり筒体３２を設けずに、ゴムやスポンジのみでで進退機構３０（凸部Ｔ）を構成してもよい。少なくとも、被当接部Ｈに当接した後に、引戸２０の側端部２１から相手の引戸２０側に向かう凸部Ｔの突出量が減少するとともに、両引戸２０、２０の近接する相対速度が徐々に小さくなるような凸部Ｔであればよい。
【００３７】
また、凸部Ｔおよび被当接部Ｈは、引戸２０、２０のその他の箇所、たとえば引戸２０、２０の上端や中央の裏面側などに設けてもよい。
【００３８】
本実施形態では、両引戸２０、２０が同一レール上を移動する例を示したが、それぞれの引戸２０、２０が引き違いできるように、それぞれの引戸２０、２０が異なるレール上を移動する構成としてもよい。このように異なるレールで引戸２０、２０が移動するものでは、凸部Ｔと被当接部Ｈを設けることで、引戸２０、２０が引き違いできないようにすることができる。
【００３９】
ようするに、引き違いタイプの引戸２０、２０を有した収納棚に凸部Ｔと被当接部Ｈを付加することで、引き違いタイプの引戸２０、２０を引き違いできないタイプの引戸２０、２０に変更することができる。
【００４０】
また、引き違いの３枚引戸タイプのものから１枚の引戸２０を取り外して、残った引戸２０、２０に上記のような凸部Ｔと被当接部Ｈを取り付けることで、中央を開けた、引戸２０、２０が引き違わないタイプの展示用収納棚に設定変更することもできる。
【００４１】
さらに、３枚以上の引戸２０を有した収納棚において、それぞれの引戸２０、２０間に上記のような凸部Ｔと被当接部Ｈを取り付けるようにしてもよい。
【符号の説明】
【００４２】
１        キッチンカウンタ
２        調理部
３        収納棚
１０      収納部
１１      開口
１２      小収納部
１３      蹴込み空間
１４      上レール
１５      下レール
２０      引戸
２１      側端部
Ｔ        凸部
３０      進退機構
３１      ロッド体
３２      筒体
３３      コイルばね
Ｈ        被当接部
４０      Ｌ字体
４１      起立板片
４２      取付板片
【図１】
0005906450.tif 000002
【図２】
0005906450.tif 000003
【図３】
0005906450.tif 000004
【図４】
0005906450.tif 000005